(57)【特許請求の範囲】
【請求項１】
被写体を撮像する撮像部と、表示部と、上記撮像部で得られた画像を記録する記録部とを有する撮影装置において、上記表示部に上記撮像部で得られた撮像結果と共に、上記撮像時における上記被写体と上記撮像部を結ぶ方向の水平に対する傾き情報を合成表示する表示制御部と、を有し、
上記撮影装置は、さらに該装置に入射する正反射光を検出し、上記傾き情報は、上記正反射光が検出されたか否かに従って生成されることを特徴とする撮影装置。
【請求項２】
上記撮影装置は、該装置にかかる重力方向に従った重力加速度情報を検出する検出部を有し、上記傾き情報は、上記重力加速度情報に従って生成されることを特徴とする請求項１に記載の撮影装置。
【請求項３】
被写体を撮像部で撮像する撮像ステップと、上記撮像ステップで得られた画像を表示する表示ステップと、上記撮像ステップで得られた画像を記録する記録ステップとを有する撮影方法において、上記撮像部に入射する正反射光を検出し、傾き情報を上記正反射光が検出されたか否かに従って生成するステップと、上記撮像ステップにおける上記被写体と上記撮像部を結ぶ方向の水平に対する傾き情報表示ステップとを具備することを特徴とする撮影方法。
【発明の詳細な説明】
【技術分野】
【０００１】
本発明は撮像装置及びカメラ並びに電子機器に関し、より詳細には、所謂、デジタルカメラなどの撮影装置の改良に関するものである。
【背景技術】
【０００２】
近年、デジタルカメラのような撮影装置は、これまで以上の市場普及によって、写真撮影経験のないユーザーにもきれいな写真を撮影できるような工夫が進んでいる。フィルム式のカメラとは異なり、撮影前の画像や撮影後の画像を確認可能で、これらの画像確認用の表示部を有するので、この画面上に様々なインフォーメーションを表示して、ユーザーに分かりやすいガイドや警告を行うことが可能となった。
【０００３】
例えば、下記特許文献１には、ヘルプモードを搭載し、ユーザーが困った時に操作すると上記表示部に指示が出るカメラなどの提案がなされている。
【先行技術文献】
【特許文献】
【０００４】
【特許文献１】特開２００７−２３５３９１公報
【発明の開示】
【発明が解決しようとする課題】
【０００５】
しかしながら、撮影者に撮影時の指示が出されても、何が問題であるかが直感的に分からないと、指示をどのように実行して良いかがわからない場合があった。
【０００６】
本発明は、このような状況において、ユーザーが特別な操作をすることなく、直感的に撮影状況を理解して、即座に指示に従った撮影が可能な撮影装置、撮影方法を提供するものである。
【課題を解決するための手段】
【０００７】
上記目的を達成するため本発明の一態様に係る撮影装置は、被写体を撮像する撮像部と、表示部と、上記撮像部で得られた画像を記録する記録部とを有する撮影装置において、上記表示部に上記撮像部で得られた撮像結果と共に、上記撮像時における上記被写体と上記撮像部を結ぶ方向の水平に対する傾き情報を合成表示する表示制御部と、を有し、上記撮影装置は、さらに該装置に入射する正反射光を検出し、上記傾き情報は、上記正反射光が検出されたか否かに従って生成されることを特徴とする。
【０００８】
上記目的を達成するため本発明の他の態様に係る撮影装置は、該装置にかかる重力方向に従った重力加速度情報を検出する検出部を有し、上記傾き情報は、上記重力加速度情報に従って生成されることを特徴とする。
【００１０】
上記目的を達成するため本発明の一態様に係る撮影方法は、被写体を撮像部で撮像する撮像ステップと、上記撮像ステップで得られた画像を表示する表示ステップと、上記撮像ステップで得られた画像を記録する記録ステップとを有する撮影方法において、上記撮像部に入射する正反射光を検出し、傾き情報を上記正反射光が検出されたか否かに従って生成するステップと、上記撮像ステップにおける上記被写体と上記撮像部を結ぶ方向の水平に対する傾き情報表示ステップとを具備することを特徴とする。
【発明の効果】
【００１１】
本発明によれば、撮影機器の表示部に示された撮影時の問題を示すガイド表示と共に、撮影の効果を画像で確認しながら、好ましい条件での撮影が楽しめる撮影装置や方法を提供することが可能となる。
【発明を実施するための最良の形態】
【００１２】
以下、図面に従って本発明を適用したカメラを用いて好ましい実施形態について説明する。本発明を一眼カメラに応用した例を第１実施例として、そのブロック図を図１に示す。
【００１３】
ここでは、撮影装置として、レンズ交換式のカメラを例にして、本発明の一実施例の説明を行う。しかし、レンズ交換式である必要はなく、カメラ付きの携帯電話や、スマートフォンなどに本発明を利用しても問題はない。このようなレンズ交換式のカメラでは、撮影する被写体に応じて、様々なレンズを利用した撮影が行えるので、人物や風景といった一般的な被写体以外の、本発明が主眼としているような身近にあるものをきれいに撮影したいユーザーは、このようなカメラを利用することが多い。
【００１４】
このようなレンズ交換式のカメラでは、カメラ本体１０に、好みのレンズ２０を取り付けて、被写体像を撮像部２に導いて撮影するものだが、レンズ２０側には、ズームレンズの場合、複数のレンズ要素の位置を切り換えてズーム制御をするためのズーム制御部２６ａ、ピント合わせ用レンズを動かして、被写体にピントが合うような位置制御するピント制御部、さらには、取込む被写体像の明るさを制御するための絞り制御部２６ｃ等を有する。
【００１５】
これらのレンズや絞り制御の位置は、位置判定部２５ａ、２５ｂなどで判定しながら、制御部２１が、記録部２７に記録された制御データやプログラムによって、モーターなどの駆動部２４ａ、２４ｂを介して制御するものである。レンズリングなどの操作部２３によって、マニュアル調整できるようにした機種も多く、ズーム位置（画角）のみならず、ピント位置や絞りによるぼかし効果にこだわりを持った操作を可能としている。
【００１６】
一方、カメラ本体側にも、スイッチ等、ユーザーが様々な操作を行える操作部６がある。撮影装置で重要なのが撮影時の操作なので、静止画撮影用のレリーズボタンなどが右手の人差し指で操作できる位置に優先的に配置されている。
【００１７】
これらを利用して、撮影操作が可能であるし、その他のスイッチやダイヤルなどを利用して、上記露出補正やシャッタースピードや感度設定、ピント位置の変更など撮影パラメータ変更も可能である。また、タッチパネルもこのような操作を補助して利用できる。
【００１８】
カメラ１０はさらに交換レンズから入った像を電気信号に変える撮像部２と、撮像結果を表示する部分（接眼表示部３０や、背面パネルの表示部８など）に画像を表示したり、撮影時には、記録部４に画像を記録したりする。こうした一連の制御は、マイコン等の集積回路等からなる制御部１が、記録部４に記録されたプログラムに従って行うが、この集積回路には、上記表示や記録に必要な画像処理が可能な信号処理回路も形成されている。
【００１９】
また、撮像部２からの画像信号を用いて、被写体の顔部を検出する顔検出部３があり、このような重要画像部位のコントラストや位相差信号からピントのずれを検出したり、露出量など調整量を切り換えたりする撮影制御を行う。接眼表示部は、小型の液晶パネルや有機ＥＬパネル等の表示画像を専用の光学系で拡大して目視可能にするもので、ファインダを覗き込む形で観察可能なので、外光の影響を受けずに画像が確認できる上、この光学系の視度調整によって、ユーザーの視度に合わせて良好な観察を可能とする。さて、これらの調整量は制御部１内のパラメータ制御部（図示せず）によって、切り換え制御が可能である。
【００２０】
ユーザーが接眼表示部３０や背面パネルなどによる表示部８を見ながら撮影できるように、制御部に組み込まれた信号処理部１は撮像結果を液晶やＥＬパネルなどからなる表示部８に表示できるように処理したりする。この表示部８上にはタッチパネル８ｂが形成されていて、表示された被写体像を表示部上でタッチすれば、その位置に応じた画像の情報が取得可能である。
【００２１】
これは相当する部分の画像の特徴を解析したり、距離情報を検出するものである。また制御部１は、ユーザーの撮影指示操作を操作判定部６（前述の静止画用レリーズボタンや動画用レリーズボタン）やタッチパネル８ｂで判定して、撮影画像を信号処理部で圧縮して記録部４に記録する。この時、撮影日時情報を合わせて記録して整理できるように時計９がある。
【００２２】
また、パラメータ変更の操作によって、画像がどのように変わるかが接眼表示部３０や背面パネルの表示部８にて確認できることは言うまでもない。操作時には、撮像結果を表示する部分（接眼表示部３０や、背面パネルの表示部８など）に後述するような補助表示が出るが、これは表示制御部１ｄが被写体像の上に合成表示する。
【００２３】
また、加速度センサ１３が設けられており、この出力から制御部１の角度検出部１ｂがカメラの姿勢などを判定することが可能となっている。また、制御部１内の動き検出部１ｃは、この加速度センサの出力を利用したり、画像の時間変化でカメラの動きを検出したりする。また、カメラの姿勢や角度が悪い場合に被写体から照明光の正反射光が入ったことを、撮像部２の出力から判定するのが、反射判定部１ｅである。
【００２４】
この発明では、カメラが被写体を見込む角度を、ユーザーに意識させて、きれいな写真を撮影できるようにした撮影機器を提供する。こうした見栄え良い写真は、自分だけで楽しむ写真よりも、インターネットなどを利用してみんなに見せる写真において、非常に重要である。持っているものを自慢するような場合においても、いらなくなったものを売ってしまいたいオークションなどでも、見栄えは非常に重要になる。
【００２５】
ここでは、一例として、正反射光による「てかり」の問題について説明する。
図２（ａ）のように、例えば、本やＬＰ、ＣＤなどの被写体１２を撮影する場合、照明用光源３０が多くの場合、天井など上方にある関係から、これら被写体を図のΘ１のような角度で照らすような位置となる場合がある。この時、撮影者１１が、図のようにこの被写体１２にカメラ１０を向けて、図のように水平からΘ２のような角度から撮影しようとするような状況もよくある。
【００２６】
もし、前述の光源と被写体の角度Θ１が、被写体とカメラの角度Θ２と近い値である場合、被写体１２の光沢面に照明３０からの光が反射して、被写体が光って、その表面の印刷や模様やデザインや写真などの色彩や質感が正しく撮影されない。
【００２７】
多くのユーザーは、机や台の上に、こうした被写体、またアクセサリーなど光沢のある被写体を置いて撮影するので、撮影前や撮影後に、撮像結果を表示する表示部８を見ながら、このような状態になっていることに気付き、思った通りの写真が撮影できないことに気づくような事が起こりえた。
【００２８】
そして、何が起こっているかも分からないままに、その状態を対策することなく失敗写真を撮影してしまう事も多かった。本発明では、このような状況においては、カメラを構える角度によって正反射光が来ている事をユーザーに告知して、こうした失敗を防止するようにした。なお、カメラの撮影方向と水平方向のなす角度Θ２は、図１の１ｂの角度検出部で判定することが出来る。
【００２９】
ＬＰやＣＤや書籍などは、書かれた文字が読めるような角度から撮影したいので、図２のように寝かして撮影する場合、撮影時に上方から光の影響を受けやすい。また、こうした被写体は、左右対称に撮影したいなどの要望があることから、カメラと被写体の位置関係は、画面の横方向を水平方向と合わせて撮影することが多い。
【００３０】
この場合、カメラの画面縦方向は被写体の上下方向（文字の上下方向）と合わせてフレーミングされ、撮影光軸方向が、水平に対し、図２のようにΘ２の角度をなし、これを変更するようなフレーミングにて、被写体を狙うことが多い。従って、Ｙ１として示した方向にカメラを動かすことが多い。
【００３１】
図２（ｂ）のように、カメラ１０をＹ１だけずらして撮影しようとしても、被写体１２の幅（図中Ｘ０）が、Ｘ０＝Ｙ１ｓｉｎΘ２以上である場合、このΘ１≒Θ２の関係は変わらないので、この正反射光は、カメラの画面の同じ位置に入射する。このような関係を用いて、正反射光が来ていることを検出することが出来る。もちろん、単純に、集中して光源特有の色成分の光が入射する場合も、このような正反射状態と判定することが出来る。
【００３２】
このようなＹ１の動きは、カメラがユーザーに指示しても良いが、ユーザーは正反射を避けようと、カメラを無意識に動かすので、図１の１ｃの動き検出部が、その時の動きを判定して、同時に画像の変化をモニタすれば、反射判定部１ｅが、正反射光が来ているかどうかを判定することが出来る。カメラの撮像部で正反射光が検出された場合、カメラの傾きΘ２が正反射光のカメラへの入射方向と考えることが出来る。また、それは、被写体１２に対して光源３０から図中Θ１の角度で入射した光の成分であることも分かる。
【００３３】
ここでは、単純化して、机や台の上に、平らな被写体を平らに置いた例を示したが、これらが角度を持って置かれた場合でも、以上のような角度の関係が満たされれば、同様の問題が生じることは言うまでもない。
【００３４】
図３はカメラを背面から見たところを図示したもので、ここで上下方向（画面縦方向）と、左右方向（画面横方向）が、どちらの方向のことであるかを示しておく。
【００３５】
このカメラ１０の上面にはレリーズスイッチ６ａが設けられており、背面には表示部８が設けられている。このようなカメラ１０において、図３（ａ）のような正反射光（分かりやすい言葉で、「てかり」）を検出した場合、図２（ｂ）のようにカメラを動かした時、画面内の画像は位置が変化するのに、強い光の位置が変わらない場合、正反射光が入って来ているとして、図３（ｂ）のように、正反射光が入っている事を示す警告表示８ｃや、カメラの角度によって起こっている旨の表示８ｄを行うようにして、ユーザーに注意を促す。
【００３６】
また、カメラの角度のみならず、光源との位置関係である旨を示す表示８ｅを、図３（ｃ）のように画面８上に合成表示してもよい。このような角度表示によって、無意識に構えていたカメラが、現在、どのような状況で撮影に使われているかを判断することが可能となる。
【００３７】
つまり、このような状況説明的なガイドがないと、ユーザーには不快なてかり現象だけが気になって、どのような撮影を行えば、それを対策できるのかまでは理解することが出来なかった。
【００３８】
また、図３（ｄ）のように、直接的に角度を変えるように指示したり、推測できる推奨角度を表示するようにしても良い。なお、このような表示が常に表示されるのが邪魔な場合も考えられるので、レンズ部の操作部材２３などが操作された場合に、数秒間だけ表示されるような表示制御を行ってもよい。
【００３９】
このように、撮影機器の表示部８（接眼表示部でもよい）に示された撮影時の問題（ここでは「てかり」が起こった理由）を示す角度に関するガイド表示と共に、撮影の効果をライブビュー画像で確認しながら、思い通りの撮影が楽しめる撮影装置や方法を提供することが可能となる。
【００４０】
このように、カメラ（撮影装置）の撮影光軸方向（被写体と上記撮像部を結ぶ方向）の水平に対する傾きの警告、またはガイド、あるいはアドバイス表示を設けたカメラのメインフロー例を図４に示す。これは、カメラの制御部１が、記録部に記録されている予め決められたプログラムに従って実行する制御をフローチャートとして表現したものである。
【００４１】
ここでは、特に、正反射光（てかり）を判定した時に、カメラの角度の変更を促す表示（図３（ｂ）、（ｃ）参照）を可能としたカメラのメインフローの例である。
【００４２】
例えば電源スイッチ（図示せず）などによってなされる電源の操作をステップＳ１０１で判定、これがオンされていれば、撮影モードか再生モードかの判定をＳ１０２、Ｓ１１１にて行う。電源スイッチがオフされれば、この電源スイッチを検出する回路のみを作動させ、その他の電子回路をオフして省エネモード（スタンバイモード）になる。
【００４３】
タッチパネルやスイッチの切り換えで撮影モードに設定されていれば、Ｓ１０３でスルー画表示を行う。これは、撮像部で得られた被写体像信号をリアルタイムに表示部に表示するもので、ユーザーはこれを見ながら撮影タイミングや構図ならびに撮影パラメータ変更の効果を確認することができる。
【００４４】
Ｓ１０４は後述するユーザーに対して傾き警告をするかどうかを判定（正反射判定など）するためのサブルーチン（図５参照）であり、Ｓ１０５は、傾き表示警告のサブルーチン（図６参照）である。これらのサブルーチンによって、図３で説明したような撮影前に正反射光を受けない撮影を促す表示制御が可能となる。
【００４５】
表示部でスルー画によって効果を確認しながら静止画レリーズスイッチ６ａを操作すれば、Ｓ１０６をＹに分岐、Ｓ１０７で、正反射による「てかり」を抑えた撮影が可能となる。撮影が行われない場合は、スルー画表示（Ｓ１０３）などから繰り返すので、任意のタイミングにてパラメータ変更や撮影が可能となる。また、再生モードへの切り換えが行われると、Ｓ１０２をＳ１１１に分岐し、撮影された画像の再生が行われる（Ｓ１１２）。別の画像を鑑賞したい場合は、ユーザーがやはりタッチパネルやスイッチを操作すると、それをＳ１１３で判定し、画像の切り換えをＳ１１５で行う。
【００４６】
また、撮影モードでも再生モードでもない場合は、Ｓ１１４に分岐して外部に撮影画像を送信するような画像通信モードになる。
【００４７】
このモードは、インターネット上に撮影画像を公開するような場合に有効である。お気に入りの小物をみんなに紹介したり、いらなくなった本やＣＤなどをネットオークションにかける時にも有効活用できる。このようなユースシーンでは、特に、見栄え良く被写体を撮影する必要があり、本発明のような工夫によって、ユーザーに見栄え良い写真を撮影させる事は、非常に意義深い。
【００４８】
図５に、図４のＳ１０４に示した、傾き警告必要判定のフローを詳しく説明するためのフロー例を示す。
【００４９】
ここでは、すでに説明したとおり、画面内に照明光特有の白色に近い色の強い光線が入って来ている場合、Ｓ２０１でこれを撮像部の出力の像パターンから判定する。このようなパターンが判定された場合、Ｓ２０１をＹに分岐して、Ｓ２０２でその強い光のパターンの位置を記録、Ｓ２０３でそれ以外の部分の画像を記録する。
【００５０】
これは、図２（ｂ）にて、説明したように、正反射光は、特に平面状の被写体を撮影する場合、手ぶれや構図変更などで、ユーザーがカメラを動かした時も、その入射位置を変えない特性があることを利用して、正反射光を検出するためのものである。
【００５１】
つまり、Ｓ２０４で、Ｓ２０３で記録しておいた画像が画面内で時間的にどんな変化をしたかを判定し、移動があった場合は、ユーザーが、カメラを動かしたと判定し、この場合、Ｓ２０４をＹに分岐し、Ｓ２０１で検出され、Ｓ２０２で記録されていた強い光の位置の変化があったかどうかを判定する。
【００５２】
この時、Ｓ２０５をＹに分岐した場合は、カメラの傾きによって被写体から正反射光が入っていると考えられ、傾きを変えることによって対策できることを示唆する傾き警告必要と判定する。
【００５３】
これらの条件を満たさない場合は、Ｓ２１１に分岐して傾き判定をしないようにする。ここには、特に記載していないが、このような状況は、図２のような状況下で起こるので、例えば、図１の顔検出機能３などを使って、被写体が何であるかを判定して、必要ない場合には、図５のような判定をしないようにしてもよい。
【００５４】
図６は、図４のステップＳ１０５で実行される傾き警告表示のフローチャート例である。
【００５５】
ここでは、傾き判定が有効で、図３（ｂ）、（ｃ）のような表示を行う時の制御を詳しく説明している。Ｓ２３１で、傾き警告が必要とされているかを判定し、必要な場合にはＳ２３２で図１の加速度センサ１３を作動させ、カメラの横、縦、被写体方向（後述のＸ、Ｙ、Ｚ）の方向にかかる重力加速度を判定する。
【００５６】
設計によっては、ここで、図５のＳ２０４の代わりにカメラの動きを加速度から判定してもよい。Ｓ２３３でカメラ横方向（Ｘ方向）に重力加速度が検出されない場合、図２のようにユーザーがカメラを構えている状態だと判定できる。
【００５７】
このような状況で、Ｓ２３４とＳ２３５でカメラの縦方向、被写体方向（ＹとＺの方向）にかかる加速度（Ｙｇ、Ｚｇ）を判定し、Ｓ２３６で、これらの結果から、図２で示したΘ２の値をΘとして算出する。前述のように、ＬＰやＣＤや書籍などは、書かれた文字が読めるような角度から（つまり、上下をカメラ画面の上下に合わせ、どちらかと言えば下から）撮影したい。
【００５８】
このような状況では、図２のように撮影光軸方向が、水平に対し、図２のようにΘ２の角度をなし、これを変更するようなフレーミングにて、被写体を狙うことが多い。従って、図６のような条件で、こうした撮影状況であることを判定することも出来る。
【００５９】
以上の実施例で説明した加速度センサは、具体的には、図７（ａ）のように、架橋された金属部が、チップ表面の金属部との位置が、加速度によって変化する構造になっている素子であることが多く、カメラの姿勢を変えると、重力のかかり具合で、この架橋部がたわんで変化し、容量成分が変化するため、電気的な出力信号が変化する。
【００６０】
また、カメラを動かすと、そのときの信号で、どちらの方向に動かされたかが分かる。つまり機器の移動が分かる。
【００６１】
上下（Ｙ方向）に動かされたか、左右（Ｘ方向）に動かされたか、前後方向（Z方向）を検出できるように、図７（ｂ）のように、カメラ内に加速度センサを、検出方向を変えて、３つ配置すれば良いが、ワンパッケージになったものも多く製品化されている。
【００６２】
このようにカメラの撮影画面の横方向をＸ、画面の縦に対応する方向をＹとし、それらと直交する方向をＺ方向としている。
【００６３】
以上説明したように、本実施例によれば、撮影機器の表示部に示された撮影時のてかり問題が起こった事をユーザーに認知させ、その問題の原因を示すガイド表示を出すことで、ユーザーが問題解決することの手助けをしつつ、撮影角度変更の効果はライブビュー画像で確認しながら、被写体を正しく描写した撮影が楽しめる撮影装置や方法を提供することが可能となる。
【００６４】
ここでは、カメラの撮影方向の角度を変えるような対策の記載をしたが、このような原理表示によって、被写体を立てかけるなどの対策をユーザーが考え出せるような効果も持つことは言うまでもない。
【００６５】
これまでの警告表示やガイド表示には欠如していた具体性で、撮影者を補助することが可能となる。
【００６６】
このような構成のカメラでは、特に、正反射光を対策しない場合にも撮影角度警告、またはガイド機能を有効に利用することが出来る（第２実施例）。
【００６７】
例えば、図８のように、料理を撮影する場合にも、斜め４５°からの撮影が有効であるというノウハウが知られている。このようなノウハウを知らずに撮影すると、せっかくの料理のおいしさを引き出した写真とならない場合があった。また、こうしたノウハウを知っている人ばかりのサイトなどに投稿された場合など、自分の写したものだけが見栄えが良くないといった問題となることがあった。
【００６８】
このような状況でも、傾き表示警告はユーザーにとって有効なので、図９のようなフローチャートで、Ｓ１０４ｂのタイミングにおいて、ユーザーが設定したモードによって、警告を出すようにした。
【００６９】
このフローチャートの各ステップの説明は、図４と重複するもので、ここでは省略する。ここで想定しているモードは、料理撮影モードや、アクセサリー撮影モードで、図８のΘに示したような傾きを変えて撮影することで、プロ写真家が普通に使っていて、一般ユーザーが知らなかったノウハウに従った撮影が可能になる。この時、表示部に推奨角度を合わせて表示すれば良い。
【００７０】
また、コレクターが同じようなものを撮影する場合にも、例えば、コレクション撮影モードなどで、この表示が出るようにすれば、１つ１つのアイテムを、同じ角度に揃えて撮影し、統一感を出すことが可能になる。例えば、同じような腕時計を撮影して紹介したい場合など、同じ角度から撮ったように統一されていないと、いかにも素人が気まぐれに撮ったように見えて、コレクション自体へのこだわりも疑われてしまう。このような用途では、写真の見栄えが大変、重要になる。
【００７１】
以上説明したように、第２実施例の発明によれば、正反射光の影響とは無関係なシーンにおいても、常に、撮影条件を揃えた撮影を行うことによって、撮影画像間に統一感を持たせるような効果を有するカメラを提供することが出来る。必要なシーンにおいてだけ出て来る表示となっており、構図調節や、シャッターチャンスを逃すようなことはなく、問題になりそうな状況であることを判定して表示制御される。
【００７２】
本発明によれば、撮影機器の表示部に示された撮影時の問題（ここでは、ある被写体にとっては、所定の角度での撮影が好ましいことに撮影者が気づかない）を示すガイド表示と共に、撮影の効果をライブビュー画像で確認しながら、好ましい条件での撮影が楽しめる撮影装置や方法を提供することが可能となる。
【００７３】
以上、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも勿論構わない。
【００７４】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００７５】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【図面の簡単な説明】
【００７６】
【図１】本発明に係わる撮影機器の構成を示すブロック図である。
【図２】本発明に係わる撮影機器を利用して撮影を行っている様子を図示したものである。
【図３】本発明に係わる撮影機器の撮影時に、接眼表示部とリング操作部を利用して撮影パラメータの調整を行っているところを示す図である。
【図４】本発明の撮影機器制御のフローチャート例である。
【図５】本発明の撮影機器の傾き警告必要判定時に実行するフローのサブルーチンを示したフローチャート例である。
【図６】本発明の撮影機器の傾き警告表示時のサブルーチンを示したフローチャート例である。
【図７】本発明に用いられる加速度センサの一例である。
【図８】本発明の第２実施例に関わる撮影機器を利用して撮影を行っている様子を図示したものである。
【図９】本発明の第２実施例の撮影機器制御のフローチャート例である。
【符号の説明】
【００７７】
１・・・信号処理、制御部、１ｂ・・・角度検出部、１ｃ・・・動き検出部、１ｄ・・・表示制御部、１ｅ・・・反射判定部、２・・・撮像部、３・・・顔検出部、４・・・記録部、５・・・レンズとの通信部、６・・・操作部、８・・・表示部、８ｂ・・・タッチパネル部、９・・・時計、１０・・・カメラ本体（ボディ）、１１・・・撮影者、１２・・・被写体、１３・・・マイク、２０・・・撮像レンズ（交換レンズ）、２１・・・レンズ制御部、２２・・・ボディとの通信部、２３・・・レンズ部操作部材、３０・・・光源
【図１】
0005877030.tif 000002
【図２】
0005877030.tif 000003
【図３】
0005877030.tif 000004
【図４】
0005877030.tif 000005
【図５】
0005877030.tif 000006
【図６】
0005877030.tif 000007
【図７】
0005877030.tif 000008
【図８】
0005877030.tif 000009
【図９】
0005877030.tif 000010